(57)【特許請求の範囲】
【請求項１】
場間接続センタに接続され，競技場で開催される競技の投票券を発券する投票券発券機であって，
各開催情報と発券場との組合せごとに生成され，開催情報が同じであっても少なくとも発券場ごとに異なる値となる１または複数のチェックコードを，前記場間接続センタから取得するチェックコード取得手段と，
開催情報を含む投票情報を取得する投票情報取得手段と，
前記投票情報中の開催情報と投票券を発券する発券場との組合せに該当する前記チェックコードを，発券する投票券の券面に表示した投票券を作成し発券する投票券発券手段とを備える
ことを特徴とする投票券発券機。
【請求項２】
場間接続センタに接続される投票券発券機により，競技場で開催される競技の投票券を発券する投票券発券方法であって，
前記場間接続センタが，各開催情報と発券場との組合せごとに，開催情報が同じであっても少なくとも発券場ごとに異なる値となる１または複数のチェックコードを生成する過程と，
前記場間接続センタが，前記生成された１または複数のチェックコードを，各発券場に設置された投票券発券機に配布する過程と，
前記投票券発券機が，前記配布された１または複数のチェックコードの中から，発券される投票券の開催情報と投票券を発券する発券場との組合せに該当するチェックコードを特定する過程と，
前記投票券発券機が，前記特定されたチェックコードを発券する投票券の券面に表示した投票券を作成し発券する過程とを有する
ことを特徴とする投票券発券方法。
【請求項３】
請求項１記載の投票券発券機によって発券される，競技場で開催される競技の投票券であって，
投票対象となった競技の開催場，開催年，開催回または開催日の少なくともいずれか複数を含む開催情報と，投票券を発券する発券場との組合せにより生成されたチェックコードが券面に記載されている
ことを特徴とする投票券。
【発明の詳細な説明】
【０００１】
【発明の属する技術分野】
本発明は，投票券発券機，投票券発券方法および投票券に関し，特に競技場で開催される競技に対して，発券場で発行される投票券を払戻場で払戻す場合のセキュリティを向上させる技術に関するものである。
【０００２】
ここで，競技場とは実際に競技が開催される場所をいい，発券場とは競技の投票券を発券することができる場所をいい，払戻場とは発券場で発券された投票券のうち当たり投票券を払戻すことができる場所をいう。例えば，たいていの競馬場は競技場であり発券場でありさらに払戻場であるといえるし，たいていの場外馬券売場は発券場であり払戻場であるといえる。
【０００３】
【従来の技術】
図５は，従来における投票券の発券・払戻システムの構成例を示す図である。地方競馬の場合を例にとると，各競馬場１００（Ａ〜Ｚ）には，ＴＺＳ（トータリゼータシステム：Ｔｏｔａｌｉｚａｔｏｒ  Ｓｙｓｔｅｍ）１０１（Ａ〜Ｚ）があり，各競馬場のＴＺＳは，場間接続センタ２００に接続されている。ＴＺＳ１０１（Ａ〜Ｚ）とは，投票券の発券・払戻，集計，払戻の計算等の機能を持つシステムのことをいう。各競馬場のＴＺＳ１０１（Ａ〜Ｚ）には，有人または自動の投票券発券機（以下，発券機という），有人または自動の投票券払戻機（以下，払戻機という）が接続されている。
【０００４】
各競馬場１００（Ａ〜Ｚ）のＴＺＳ１０１（Ａ〜Ｚ）は，場間接続センタ２００で接続されているため，例えば，Ａ競馬場１００Ａで開催されているレースの投票券をＢ競馬場１００Ｂで購入できるようなシステムにはなっていた。しかし，各競馬場１００（Ａ〜Ｚ）の運営は，一般にそれぞれの競馬場ごとに独立しているので，各競馬場１００（Ａ〜Ｚ）によって使用するＴＺＳ１０１（Ａ〜Ｚ），投票券，発券機・払戻機等のメーカなどが統一されていなかった。
【０００５】
また，各競馬場１００（Ａ〜Ｚ）のＴＺＳ１０１（Ａ〜Ｚ）は，場間接続センタ２００に投票券の票数の集計のためのデータだけを送っており，券面に関するデータは，メーカ同士のデータ交換が行われていないため，送られていなかった。したがって，競馬場同士で投票券の互換性がないため，ある競馬場で発券された投票券はその競馬場でしか払戻しができないのが普通であった。
【０００６】
以上のように，各ＴＺＳ１０１（Ａ〜Ｚ）は独立性があるため，ある競馬場で発券された投票券を他の競馬場で払い戻す場合，例えば，Ｙ競馬場１００Ｙで購入された投票券をＺ競馬場１００Ｚで払戻す場合，Ｙ競馬場１００ＹのＴＺＳ１０１Ｙに回線等で接続される払戻機１０２ＹをＺ競馬場１００Ｚに設置しなければならなかった。実際に，地方競馬の場合，各競馬場は近隣の競馬場の払戻機を設置していた。しかし，遠方の競馬場の払戻機までは設置していないので，遠方の競馬場の投票券を払戻し可能にするためには，その投票券の開催に関するデータ（見本券など）をすべて取寄せて，それをもとに人が投票券を目視で確認し，手払いで払戻しを行わなければならなかった。
【０００７】
図６は，従来の投票券の例を示す図である。図の例は競馬投票券の表面の例であり，開催年，開催回，開催日，開催場，開催レース，発券日，発券場，投票番号等の情報が記載されている。通常，裏面は磁気面となっており，上記表面に印刷された情報等が磁気により記録されている。
【０００８】
【発明が解決しようとする課題】
しかし，上記のような人による投票券の目視での確認では，その投票券の真贋を見極めるのに，システム的に十分なセキュリティを確保することができない。しかしながら，各払戻場に，全国に多数存在する発券場ごとの払戻機を設置するのは，非常にコストがかかるため現実的ではない。
【０００９】
本発明は，上記問題点の解決を図り，各払戻場に多数の払戻機を設置しなくても，人の目視による簡易チェックでシステム的に十分なセキュリティを確保できる，投票券の払戻しに関する技術を提供することを目的とする。
【００１０】
【課題を解決するための手段】
本発明は，上記課題を解決するため，まず，事前に投票券の各発券場をつなぐ場間接続センタにて，競技の開催情報（開催場，開催年，開催回，開催日等の情報）と発券場との組合せごとにチェックコードを生成し，その生成されたチェックコードを場間接続センタから各発券場および各払戻場へ配布し，各発券場では発券する投票券に該当するチェックコードを記載し，各払戻場では各開催情報と各発券場との組合せごとに生成されたチェックコードを保存することを特徴とする。特に，このチェックコードは，開催情報が同じであっても少なくとも発券場ごとに異なる値となるように生成される。
【００１１】
ここで，競技の開催情報としては，開催場，開催年，開催回，開催日のすべての情報を含むことが望ましいが，これらのうち少なくともいずれか複数の情報を含んでいればよい。
【００１２】
各払戻場では，投票券の表面に記載されているチェックコードと，保存されている各開催情報と各発券場との組合せごとに生成されたチェックコードとを照合することで，人による目視で容易に投票券の真贋を確認することができる。これにより，他場で発売された投票券の全国共通チェックを簡易に行うことができるようになる。
【００１３】
【発明の実施の形態】
以下，図面に従って本発明の実施の形態を説明する。
【００１４】
図１は，本実施の形態におけるシステムの構成例を示す図である。本実施の形態は，地方競馬の例である。各競馬場１（Ａ〜Ｚ）は，それぞれ投票券の発券および払戻等を行うＴＺＳ等のシステムを有するが，互いに独立したシステムを構成しており，投票券，発券機，払戻機等に必ずしも互換性がある必要はない。
【００１５】
各競馬場１（Ａ〜Ｚ）は，場間接続センタ２に接続されており，場間接続センタ２では投票券の票数の集計を行っているため，各競馬場１（Ａ〜Ｚ）では，他競馬場の投票券を発券することができるものとする。各競馬場１（Ａ〜Ｚ）には他競馬場の払戻機の端末が設置されていないため，他競馬場で発券された投票券の払戻しは人の目視によるチェックで行われるものとする。図中，▲１▼〜▲５▼は，本実施の形態の一連の手順を示している。
【００１６】
場間接続センタ２は，各開催情報と発券場（本実施の形態では各競馬場１（Ａ〜Ｚ））との組合せごとにチェックコードを生成し（手順▲１▼），発券場でもあり払戻場でもある各競馬場１（Ａ〜Ｚ）へ配布する（手順▲２▼）。このときのチェックコードの生成は，容易に解析されるものでなければよい。例えば，各開催情報と各発券場ごとにあらかじめ設定されたコード（以下，発券場コードという）とから計算してもよいし，ランダムのコードをあてがってもよい。
【００１７】
図２は，本実施の形態における開催情報と発券場コードの例を示す図である。（ａ）は開催情報の例であり，開催場の欄の括弧書きは各開催場ごとにあらかじめ設定されたコード（以下，開催場コードという）を示す。（ｂ）は発券場コードの例であり，本実施の形態の場合，各競馬場１（Ａ〜Ｚ）がそのまま発券場となるため，開催場コードと発券場コードは一致している。もちろん，開催場コードと発券場コードとが必ず一致していなければならないわけではない。
【００１８】
以下に，チェックコードの生成を計算により行う場合の例を示す。開催情報と発券場コードは，図２に示すものを利用するものとする。計算式の例として，
0003958977.tif 000002
を使用する。図２（ａ）の開催において，発券場がＡ競馬場１Ａの場合，投票券に記載されるチェックコードは，（式１）により，
0003958977.tif 000003
となる。
【００１９】
本実施の形態において発券場でもあり払戻場でもある各競馬場１（Ａ〜Ｚ）は，場間接続センタ２から各開催情報と各発券場との組合せごとに生成されたチェックコードをすべて受取り，それを保存する。
【００２０】
次に，Ａ競馬場１Ａで図２（ａ）の開催の投票券３を発券する場合を例に説明すると，Ａ競馬場１Ａでは，受取ったチェックコードの中から，投票券３に関する図２（ａ）の開催情報と発券場であるＡ競馬場１Ａとで該当するチェックコードを特定する（手順▲３▼）。そして，Ａ競馬場１Ａで発券する投票券３には，特定されたチェックコードを印刷して記載する（手順▲４▼）。
【００２１】
図３は，本実施の形態における投票券の例を示す図である。例えば，チェックコードが（式１）で計算されている場合，投票券３の表面には，従来の投票券にも記載されている開催年，開催回，開催日，開催場，開催レース，発券日，発券場，投票した番号等の情報のほかに，“３５８”というチェックコード３１が記載される。
【００２２】
図４は，本実施の形態における投票券の発券機の構成例を示す図である。発券機１０は，チェックコード取得部１１，投票情報取得部１２，チェックコード特定部１３，投票券発券部１４から構成される。発券機１０における投票券発行のための他の構成要素については，従来と同様でよいので，本発明に関係する部分だけを示し，他の部分については説明を省略する。
【００２３】
チェックコード取得部１１は，自分の発券場で発券可能な開催情報と自分の発券場との組合せごとに生成されたチェックコードをすべて取得する。投票情報取得部１２は，投票情報（開催情報，開催レース，投票番号等の投票を特定する情報）を取得する。チェックコード特定部１３は，チェックコード取得部１１で取得したチェックコードの中から，投票情報取得部１２で取得した投票情報中の開催情報をもとに，該当するチェックコードを特定する。投票券発券部１４は，投票情報取得部１２で取得された投票情報とチェックコード特定部１３で特定されたチェックコードとを記載した投票券を発行する。
【００２４】
当たり投票券が発券された場所と別の場所で払戻される場合，例えば，図１において，Ａ競馬場１Ａで発券された投票券３がＺ競馬場１Ｚで払戻される場合，払戻場となるＺ競馬場１Ｚでは，投票券３に記載されているチェックコードと，あらかじめ場間接続センタ２から取得されたチェックコードのうち投票券３に該当する開催情報および発券場のものとを照合し（手順▲５▼），一致すれば払戻しが行われ，一致しなければ払い戻しは行われない。
【００２５】
また，本実施の形態では投票券の表面にチェックコードが記載されている例を示したが，投票券の裏面に磁気でチェックコードを記録し，それを機械で照合させてもよい。また，払戻機に印字を読取る機能を持たせ，表面に印字されたチェックコードを自動的に読取って確認できるようにしてもよい。
【００２６】
また，本実施の形態では，チェックコード生成は場間接続センタ２がすべてまとめて行っているが，各開催本場ごとにチェックコード生成を行い，それを場間接続センタ２を通して，各発券場および各払戻場（本実施の形態では各競馬場１（Ａ〜Ｚ））に送信するような実施も可能である。
【００２７】
また，本実施の形態では，地方競馬の例をあげて説明したが，競艇，競輪，オートレース等の競技に関しても，同様に実施可能である。
【００２８】
【発明の効果】
以上説明したように，本発明によれば，各開催情報と各発券場コードの組合せごとのチェックコードを用いることにより，投票券の払戻しにおいて，人の目視による簡易チェックでも，実用上，十分なセキュリティを確保することができるようになる。
【図面の簡単な説明】
【図１】本実施の形態におけるシステムの構成例を示す図である。
【図２】本実施の形態における開催情報と発券場コードの例を示す図である。
【図３】本実施の形態における投票券の例を示す図である。
【図４】本実施の形態における投票券の発券機の構成例を示す図である。
【図５】従来における投票券の発券・払戻システムの構成例を示す図である。
【図６】従来の投票券の例を示す図である。
【符号の説明】
１（Ａ〜Ｚ）  競馬場
２  場間接続センタ
３  投票券
１０  発券機
１１  チェックコード取得部
１２  投票情報取得部
１３  チェックコード特定部
１４  投票券発券部
【図１】
0003958977.tif 000004
【図２】
0003958977.tif 000005
【図３】
0003958977.tif 000006
【図４】
0003958977.tif 000007
【図５】
0003958977.tif 000008
【図６】
0003958977.tif 000009